(57)【要約】【課題】Ｗｅｂサーバへの情報端末（例えば携帯電話）からのアクセスをその情報端末の利用者の個人情報に応じて制限するに好適なアクセス管理システムを提供する。【解決手段】情報端末の利用者の個人情報を与えた電子メールを受信するメールサーバは、上記電子メールから個人情報を抽出し（個人情報抽出手段）、抽出した個人情報から前記情報端末の利用者が前記Ｗｅｂサーバへのアクセス許容条件を満たしているか否かを判断する判定手段を備える。そしてアクセス許容条件を満たしているとき、電子メールから抽出した個人情報および／または電子メールの送信元メールアドレスを用いてＷｅｂサーバのＵＲＬアドレスを暗号化し、暗号化した情報をＷｅｂサーバのＵＲＬアドレスにリンクさせた電子メールを作成して前記情報端末に返信する（メール返信手段）。【選択図】      図１
2004185086.tif 000002
【特許請求の範囲】
【請求項１】
メールサーバを介して情報端末から所定のＷｅｂサーバへのアクセスを制御するアクセス管理システムであって、
前記メールサーバは、情報端末の利用者の個人情報が与えられた電子メールを受信して上記個人情報を抽出する個人情報抽出手段と、
受信した電子メールから抽出した個人情報から前記情報端末の利用者が前記Ｗｅｂサーバへのアクセスを許容する条件を満たしているか否かを判断する判定手段と、
前記情報端末の利用者が前記Ｗｅｂサーバへのアクセスを許容する条件を満たしているとき、前記電子メールから抽出した個人情報および／または前記電子メールの送信元メールアドレスを用いて前記ＷｅｂサーバのＵＲＬアドレスを暗号化すると共に、この暗号化した情報を上記ＷｅｂサーバのＵＲＬアドレスにリンクさせた電子メールを作成して前記情報端末に返信するメール返信手段と
を具備したことを特徴とするアクセス管理システム。
【請求項２】
前記個人情報は、情報電話の利用者の生年月日または年令として与えられるものであって、
前記判定手段は、電子メールから抽出した年令、または利用者の生年月日と現在の年月日とから求められる該利用者の年令から前記Ｗｅｂサーバへのアクセスが許容されるか否かを判定するものである請求項１に記載のアクセス管理システム。
【請求項３】
前記Ｗｅｂサーバは、前記メールサーバから通知される情報端末の送信元アドレスと、暗号化して情報端末に通知した情報に従ってアクセスしてきた情報端末の送信元アドレスとを照合して、そのアクセスの正当性を判定するアクセス受入制御手段を備えてなる請求項１に記載のアクセス管理システム。
【発明の詳細な説明】
【０００１】
【発明の属する技術分野】
本発明は、例えばインターネット上のキャンペーン応募サイト（Ｗｅｂサーバ）への情報端末（例えば携帯電話）からアクセスを、情報端末の利用者（キャンペーン応募者）の年令等に応じて制限するに好適なアクセス管理システムに関する。
【０００２】
【関連する背景技術】
近時、携帯電話やパーソナルコンピュータ等からインターネット上のキャンペーン応募サイト（Ｗｅｂサーバ）等にアクセスして入力される応募者の個人情報（住所・氏名・年令・性別等）と各種のアンケート情報を抽出し、応募者に関するデータベースを作成することが提唱されている（例えば特許文献１参照）。ちなみにこのようにして作成されるデータベースは、市場調査や製品開発、更には販売促進等の基礎データとして利用される。
【０００３】
ところで懸賞付きキャンペーンを展開する場合、その応募者を制約すべきものがある。例えばたばこや酒類等に関するキャンペーンを行う場合には、その応募者を成人に限定することが必要である。そこでキャンペーン応募サイト（Ｗｅｂサーバ）においては、例えばそのホームページ（トップページ）上で該サイトのアクセス者（応募者）に年令情報の入力を促し、年令条件が適合した者に対してだけ次ページ（情報入力画面や情報提示画面）に進ませることで、その入口（トップページ）でアクセス者（応募者）を選別することが考えられている。
【０００４】
一方、本発明者は、先に情報提供サーバに登録されている各種の情報を取得するに際して、上記情報提供サーバに電子メールを送り、この電子メールに記述した情報コードを用いて所望とする情報を検索し、検索した情報を上記電子メールの送信元アドレスに電子メールとして返信することを提唱した（特許文献２を参照）。この技術を用いれば、例えば携帯電話から情報提供サーバを容易にアクセスして所望とする情報を取得することが可能となる。
【０００５】
【特許文献１】
特開２００１−６０２３４号公報
【特許文献２】
特願２００１−３４７９６１号
【０００６】
【発明が解決しようとする課題】
ところで上述したたばこや酒類等に関するキャンペーン応募サイト等については、本来的には年令条件に適合する者に限定してその存在を公開することが必要となる。換言すれば年令条件に合致する応募適合者（例えば成人）に対してだけキャンペーン応募サイト（ＷｅｂサーバのＵＲＬアドレス）を公開し、非適合者による上記キャンペーン応募サイト等へのアクセスを事前に拒否することが必要となる。
【０００７】
しかしながら応募適合者に対してだけキャンペーン応募サイトのＵＲＬアドレスを公開することは、一般的には非常に困難である。即ち、キャンペーン応募サイトのＵＲＬアドレスは、通常、各種のメディアを用いて公開されるので、非適合者であるといえども上記キャンペーン応募サイトのＵＲＬアドレスを容易に入手することができる。
【０００８】
本発明はこのような事情を考慮してなされたもので、その目的は、専ら個人レベルで使用される情報端末（例えば携帯電話）が備える機能に着目し、Ｗｅｂサーバへの情報端末からのアクセスを、その情報端末の利用者（キャンペーン応募者）の年令に応じて制限するに好適なアクセス管理システムを提供することにある。
【０００９】
即ち、本発明は、情報端末の利用者がキャンペーン応募の年令条件に適合している場合にだけ上記情報端末にＷｅｂサーバ（キャンペーン応募サイト）のＵＲＬアドレスを通知することで、Ｗｅｂサーバへの情報端末からの不本意なアクセスを簡易に、しかも効果的に制限し得るようにしたアクセス管理システムを提供することを目的としている。
【００１０】
【課題を解決するための手段】
詳述した目的を達成するべく本発明に係るアクセス管理システムは、携帯電話等の情報端末が専ら個人レベルで使用されること、また携帯電話が電子メール機能やインターネットを介する各種Ｗｅｂサーバへのアクセス機能（Ｗｅｂブラウザ機能）を備えることに着目してなされており、特にメールサーバを介して情報端末からのＷｅｂサーバへのアクセスを制御するように構成される。
【００１１】
特に本発明に係るアクセス管理システムにおいては前記メールサーバは、
（ａ）    情報端末の利用者の個人情報が、例えば題名または本文に与えられた電子メールを受信して上記個人情報を抽出し、
（ｂ）    上記電子メールから抽出した個人情報から前記情報端末の利用者が前記Ｗｅｂサーバへのアクセスを許容する条件を満たしているとき、
（ｃ）    前記電子メールから抽出した個人情報および／または前記電子メールの送信元メールアドレスを用いて前記ＷｅｂサーバのＵＲＬアドレスを暗号化すると共に、この暗号化した情報を上記ＷｅｂサーバのＵＲＬアドレスにリンクさせた電子メールを作成して前記情報端末に返信する
ようにしたことを特徴としている。
【００１２】
即ち、本発明に係るアクセス管理システムは、携帯電話等の情報端末から発信された電子メールに与えられている当該情報端末の利用者の個人情報、例えば年令情報から、その利用者がＷｅｂサーバへのアクセスを許容する条件を満たしているか否かを判定する。そしてアクセス許容条件を満たしている場合にだけ、上記個人情報および／または前記電子メールの送信元メールアドレスを用いて前記ＷｅｂサーバのＵＲＬアドレスを暗号化すると共に、この暗号化した情報を前記Ｗｅｂサーバにリンクさせた電子メールとして返信する。そして前記情報端末においては上記暗号化して通知された情報（暗号化ＵＲＬアドレス）をクリックしたとき、前記Ｗｅｂサーバにアクセスし得るようにしたことを特徴としている。
【００１３】
このように構成されたアクセス管理システムによれば、例えば年令条件が適合しない場合には、ＷｅｂサーバのＵＲＬアドレスの情報が通知されないことは勿論のこと、年令条件が適合した場合であっても上記ＷｅｂサーバのＵＲＬアドレスが暗号化され、ＷｅｂサーバのＵＲＬアドレスにリンクさせた情報として返信メールとして通知するだけなのでＷｅｂサーバのＵＲＬアドレスが公開されることがない。しかし情報端末にとっては、暗号化されて通知された情報をクリックするだけ当該暗号化情報にリンクされたＵＲＬアドレスに従ってＷｅｂサーバにアクセスすることができるので、何等の不具合を招くことがない。
【００１４】
ちなみにＵＲＬアドレスを暗号化して通知された情報をコピー・ペーストにより他の情報端末（携帯電話）に移植した場合にはＷｅｂサーバのＵＲＬアドレスとのリンクが解消されるので、Ｗｅｂサーバをアクセスすることができなくなる。また暗号化されて通知された情報の一部を書き直した場合にも、ＷｅｂサーバのＵＲＬアドレスとのリンクが解消されるので、Ｗｅｂサーバをアクセスすることができなくなる。しかもＷｅｂサーバのＵＲＬアドレスの暗号化は、年令情報および／または前記電子メールの送信元メールアドレスを用いて行われるので、電子メールを送った情報端末毎に異なった情報が示されることになる。従って情報端末に表示された情報からは、例えばそのドメイン名がわかるだけなので、実質的にＷｅｂサーバのＵＲＬアドレスを効果的に隠しておくことが可能となり、Ｗｅｂサーバへの不本意なアクセスを未然に、しかも確実に防ぐことが可能となる。
【００１５】
本発明の好ましい態様は、例えば前記個人情報については、情報端末の利用者の生年月日や年令として与えるようにすれば良い。そして前記判定手段においては、電子メールから抽出した利用者の生年月日と、例えば現在の年月日とから当該利用者の年令を求めて前記Ｗｅｂサーバへのアクセスが許容されるか否かを判定するようにすれば良い。
【００１６】
また前記Ｗｅｂサーバにおいては、前記メールサーバから通知される情報端末の送信元アドレスと、暗号化して情報端末に通知した情報を用いてアクセスしてきた情報端末の送信元アドレスとを照合して、そのアクセスの正当性を判定するアクセス受入制御手段を備えることが好ましい。このような制御手段を備えれば、より完全にＷｅｂサーバへの不正なアクセスを排除することが可能となる。
【００１７】
【発明の実施の形態】
以下、図面を参照して本発明の実施形態に係るアクセス管理システムについて説明する。
このアクセス管理システムは、携帯電話等の情報端末が有するＷｅｂブラウザ機能（インターネット接続機能および電子メール機能）を有効に活用して、また携帯電話等の情報端末が専ら個人レベルで利用されることに着目して、所定のＷｅｂサーバをアクセスしようとする情報端末に対して、メールサーバから上記Ｗｅｂサーバをアクセスし得る情報を返信電子メールとして与えることで、情報端末からのＷｅｂサーバのアクセスを管理するものである。
【００１８】
特にＷｅｂサーバのアクセス条件として、例えば『成人であること』と言う年令条件が与えられているとき、メールサーバに電子メールを送った情報端末の利用者の年令情報（個人情報）を取得し、該利用者の年令を判定することで年令条件を満足している利用者に対してだけ、Ｗｅｂサーバをアクセスし得る情報を電子メールとして返信することで、Ｗｅｂサーバをアクセスし得る情報端末を選別するように構成される。ちなみに情報端末としては、Ｗｅｂブラウザ機能を有する携帯電話のみならず、Ｗｅｂブラウザ機能を主体とするＰＤＡ（携帯情報端末）に電話機能を組み込んだようなものであっても良い。更には固定電話やパーソナルコンピュータ、ＴＶ等の機能をそれぞれ兼ね備えたものであっても良い。即ち、基本的にはＷｅｂブラウザ機能と電話機能とを備えたものであれば良い。
【００１９】
尚、前記Ｗｅｂサーバは、例えばインターネット上のキャンペーン応募サイト（Ｗｅｂサーバ）からなり、該Ｗｅｂサーバにアクセスした情報端末から入力されるキャンペーン応募情報を受け付けて懸賞賞品の抽選を実行する機能を備えたものからなる。またこのようなキャンペーン応募サイト（Ｗｅｂサーバ）においては、その応募者（携帯電話の利用者）の住所・氏名・年令・性別等の個人情報や各種アンケートに対する回答を収集して、市場調査や商品開発等に活用されるデータベースを構築する機能を備える。
【００２０】
即ち、このアクセス管理システムは、図１にその概略構成を示すように、情報端末である携帯電話１からアクセス可能なＷｅｂサーバ３と、このＷｅｂサーバ３へのアクセスを管理するメールサーバ２とを備える。特にメールサーバ２は、Ｗｅｂサーバ３をアクセスする上での入口としての機能を果たすもので、携帯電話１はメールサーバ１に電子メールを送り、その返信電子メールとしてＷｅｂサーバ３をアクセスし得る情報を取得することによって初めてＷｅｂサーバ３をアクセスし得るものとなっている。
【００２１】
具体的にはメールサーバ２は、携帯電話１から受信した電子メールの、例えば題名または本文に記載されている携帯電話１の利用者の年令情報（生年月日）を抽出する年令情報抽出手段（個人情報抽出手段）２ａと、抽出した年令がＷｅｂサーバ３をアクセスし得る条件を満たしているか否かを判定する年令判定手段（判定手段）２ｂとを備える。そして携帯電話１の利用者の年令がＷｅｂサーバ３のアクセス条件、具体的には成人であると言う条件を満たしている場合だけ、Ｗｅｂサーバ３のＵＲＬアドレスを暗号化し、この暗号化した情報を上記Ｗｅｂサーバ３のＵＲＬアドレスにリンクさせて携帯電話１に電子メールとして返信するメール返信手段２ｃを備えている。
【００２２】
ちなみに上記ＵＲＬアドレスの暗号化は、電子メールから抽出した利用者の年令情報（生年月日）および／または前記電子メールから求められる送信元メールアドレスを用いて行われる。この際、そのアクセスを管理するセッションＩＤも上記暗号化に利用することが好ましい。従って電子メールとして返信された暗号化情報からは、Ｗｅｂサーバ３のＵＲＬアドレスを直接読み取ることができないようになっている。そして携帯電話１において、返信された電子メール上で上記暗号化情報（暗号化ＵＲＬアドレス）をクリックした場合にだけ、該暗号化情報にリンクされているＵＲＬアドレスに従ってＷｅｂサーバ３がアクセスされるようになっている。
【００２３】
そしてＷｅｂサーバ３においては、好ましくはメールサーバ２から通知される携帯電話１の送信元アドレスと、暗号化して携帯電話に通知した情報を用いてアクセスしてきた携帯電話１の送信元アドレスとを照合して、そのアクセスの正当性を判定するアクセス受入制御手段３ａを備え、不当なアクセスを拒否するようにすれば良い。即ち、携帯電話１からのメールサーバ２を経由したアクセスだけを受け入れるようにすれば良い。
【００２４】
従ってこのような機能を備えたメールサーバ２を備えたアクセス管理システムによれば、携帯電話１の利用者の年令がアクセス条件が適合しない場合には、ＷｅｂサーバのＵＲＬアドレスの情報が通知されないことは勿論のこと、年令条件が適合した場合であっても上記ＷｅｂサーバのＵＲＬアドレスが暗号化され、ＷｅｂサーバのＵＲＬアドレスにリンクさせた情報として返信メールとして通知するだけなのでＷｅｂサーバのＵＲＬアドレスが公開されることがない。しかし携帯電話１の利用者にとっては。暗号化されて通知された情報をクリックするだけで該暗号化情報にリンクされたＵＲＬアドレスに従ってＷｅｂサーバ３をアクセスすることができるので、何等の不具合を招くことがない。これ故、Ｗｅｂサーバ３のＵＲＬアドレスを実質的に隠しておくことができ、不本意なアクセスを未然に防ぐことができる。そして年令条件に適合するユーザ（携帯電話１の利用者）だけを、Ｗｅｂサーバ３にアクセスさせることが可能となる。
【００２５】
ここで上述したアクセス管理システムを組み入れることで年令制限を付して構築されるキャンペーン応募システムを例に、アクセス管理システムの具体的な実施形態について説明する。
キャンペーン応募システムは、図２にその全体的な概略構成を機能ブロック図として示すように、携帯電話１との間で情報通信するメールサーバ２と前述したＷｅｂサーバ（キャンペーン応募サイト）３、上記携帯電話１に回線接続される電話サーバ４、そして上記各サーバ２，３，４との間で情報を受け渡しながら前記携帯電話１の利用者の個人情報をデータベース化していくデータベース５を備えて構成される。
【００２６】
特にこのキャンペーン応募システムは、専ら個人レベルで使用される携帯電話１をキャンペーン応募の情報入力媒体として構築され、その応募先は、例えば雑誌やリーフレットに掲載されるキャンペーン広告中に記載された電子メールアドレスとして告知される。即ち、実際にキャンペーン応募を受け付けるＷｅｂサーバ（キャンペーン応募サイト）３のＵＲＬアドレスを公開せず、そのＵＲＬアドレスに代えてキャンペーン応募の窓口となるメールサーバ２の電子メールアドレスと、その応募方法だけを告知するものとなっている。尚、上記応募方法については、例えばキャンペーン応募の条件として『成人である』との制約がある場合には、電子メールの題名または本文に応募者の年令情報を記載して、具体的には生年月日だけを所定の書式で入力して上記電子メールアドレスに送信するように指示される。
【００２７】
図２を参照してこのキャンペーン応募システムにおける全体的な処理手順について説明すると、携帯電話１の利用者は該携帯電話１から後述するように年令情報を含む電子メールを作成し、指定されたアドレス（メールサーバ２）に送信する［操作Ａ１］。するとこの電子メールを受信したメールサーバ２においては、前述したように該電子メールにて通知された年令情報を取得し、その年令がキャンペーン応募条件に適合しているか否かを判定する。そしてキャンペーン応募条件に適合している場合には、その発信元メールアドレスを抽出する等の一連の受信処理を実行した後、キャンペーン応募サイトであるＷｅｂサーバのＵＲＬアドレスを、例えば上記年令情報および／または発信元アドレスを用いて暗号化し、その暗号化した情報を上記ＷｅｂサーバのＵＲＬアドレスにリンクさせて電子メールとして返信する［機能Ｂ１］。
【００２８】
即ち、メールサーバ２においては、電子メールにて通知された年令情報に従って、上記電子メールを送ってきた携帯電話１の利用者がＷｅｂサーバ３へのアクセス条件を満たしているか否かを判定し、Ｗｅｂサーバ３をアクセスし得る携帯電話１を篩いに掛けている（選別制御している）。そしてアクセス条件に適合している携帯電話１に対してだけ、ＷｅｂサーバのＵＲＬアドレスを暗号化した情報を該ＷｅｂサーバのＵＲＬアドレスにリンクさせ、返信電子メールとして通知している。
【００２９】
このような返信電子メールに対して、携帯電話１において上述した如く暗号化され、且つＷｅｂサーバのＵＲＬアドレスにリンクさせた情報をクリックする［操作Ａ２］。これによって携帯電話１のＷｅｂトゥ機能によりＷｅｂサーバ３がアクセスされる。すると携帯電話１からのアクセスを受けたＷｅｂサーバ３は、先ず準備処理として携帯電話１に対して所定のコンテンツを配信し、そのコンテンツの中で携帯電話１の電話番号の入力を促すと共に、電話サーバ４への回線接続を行うための情報、好ましくは電話サーバ４の電話番号をフォントゥ発信先の情報としたコンテンツを提供する（コンテンツ提供手段）。
【００３０】
この状態においてコンテンツが提供された携帯電話１から、その情報入力画面（コンテンツ）上で自己の電話番号を入力し、またフォントゥ発信を指示すると［操作Ａ３］、この情報を受けたＷｅｂサーバ３においては入力された電話番号を取得する［機能Ｂ２］。そしてこの電話番号を電話サーバ４に通知する。一方、前記携帯電話１と電話サーバ４とが所定の通信回線（電話回線）を介して接続される。すると電話サーバ４は、先ずＷｅｂサーバ３から通知された電話番号と、フォントゥ発信により掛かってきた携帯電話１の発信元電話番号とを照合し、正しい手順の元で掛かってきた電話であるか否かを判定する。そして正しい手順を踏んだ電話である場合には、所定の音声メッセージを出力して携帯電話１の利用者に対して音声による氏名の入力を促し、これを受けて上記利用者が発声する音声を、その利用者を特定する音声署名情報として取得する［機能Ｂ３］。換言すれば携帯電話１の利用者は、音声メッセージに従って自分の氏名を発声し、音声として電話サーバ４に入力することになる［操作Ａ４］。
【００３１】
しかる後、電話サーバ４は、携帯電話１の利用者に対して所定のパスワードを発行し、電話回線の切断を要求する。尚、このパスワードは、後述するように携帯電話１の利用者が音声署名情報の登録を完了していることを確認するために利用される。そして携帯電話１の利用者は、電話を切断し、既にＷｅｂサイト３からダウンロードして該携帯電話１の画面上に表示されているコンテンツ画面上でパスワードを入力する。そしてその後に提示されるキャンペーン応募情報の入力を行うためのコンテンツ画面を介してキャンペーン応募に関する各種の情報を入力する［操作Ａ５］。
【００３２】
するとＷｅｂサーバ３は携帯電話１からコンテンツ画面を介して入力された情報を次々と取り込み、その応募情報に含まれる携帯電話１の利用者の住所・氏名等の個人情報を取得する［機能Ｂ４］。そしてキャンペーン応募に必要な情報入力の全てが完了したならば、その旨をメールサーバ２に通知し、該メールサーバ２から応募手続の全てが完了したことを示す電子メールを携帯電話１に対して返信する［機能Ｂ５］。この結果、上記返信メールを受けた携帯電話１においては、応募手続の全てが完了したことを知ることになる［操作Ａ６］。
【００３３】
この際、データベース５においては、例えば携帯電話１からメールサーバ２に電子メールが届けられた時点で、その電子メールに対してセッションＩＤを付与する［情報Ｄ１］、そしてこのセッションＩＤの下で前述した如くメールサーバ２において取得した携帯電話１のメールアドレス［情報Ｄ２］と携帯電話１の利用者の年令情報［情報Ｄ３］とをリンクさせる。更に上記セッションＩＤの下で前述したようにＷｅｂサーバ３における準備処理において取得した携帯電話１の電話番号［情報Ｄ４］をリンクさせ、更には電話サーバ４において取得して音声署名情報［情報Ｄ５］をリンクさせる。その上で、情報入力要のコンテンツ画面を介して入力される携帯電話１の利用者の個人情報［情報Ｄ６］を、上述したセッションＩＤの管理の下で音声署名情報とリンクさせることで、これらの情報が互いに関連付けられる。そしてデータベース５に、上述したキャンペーンに応募した携帯電話１の利用者の個人情報として登録されることになる。
【００３４】
従って上述した如くメールサーバ２において携帯電話１からＷｅｂサーバ（キャンペーン応募サイト）３へのアクセスを管理し、所定の年令条件を満たすユーザの携帯電話１からのキャンペーン応募を受け付けるキャンペーン応募システムによれば、年令条件に合致しない非適合者等によるＷｅｂサーバ３への不本意なアクセスを未然に防ぐことが可能となる。そしてＷｅｂサーバ３のＵＲＬアドレスを一般的に公開することなく、Ｗｅｂサーバ３をアクセスしたい所定の条件を満たす携帯電話１だけをＷｅｂサーバ３に簡単にアクセスさせることが可能となる。これ故、携帯電話１の利用者に余分な負担を与えることなくＷｅｂサーバ３に対するアクセスを効果的に管理し、不本意なアクセス要求を排除することができる。
【００３５】
その上でＷｅｂサーバ３において取得した携帯電話１の利用者に関する個人情報と、電話サーバ４において取得した上記携帯電話１の利用者の音声による音声署名情報とを互いに関連付けてデータベース５に登録していくことができる。従って携帯電話１からのキャンペーン応募を受け付けながら、その応募者（携帯電話１の利用者）の個人情報のデータベース５を、音声署名情報付きのデータとして構築していくことができる。
【００３６】
次に上述した処理機能を実現する前述した各サーバ２，３，４における処理手順についてそれぞれ簡単に説明する。
図３はメールサーバ２における概略的な処理手順を示している。図３を参照してメールサーバ２での処理を説明すると、このメールサーバ２においては、携帯電話１から発信された電子メールを受信したとき〈ステップＳ１〉、先ず電子メール中の年令情報を抽出する〈ステップＳ２〉。この年令情報の抽出は、例えば図４に電子メール画面Ｃ０として示すように、本文に記載された生年月日（年令情報）を読み取り、その情報を解析することによって行われる。次にその年令が、キャンペーン応募の年令条件を満たしているか否かを判定し〈ステップＳ３〉、年令条件を満たしていない場合にはキャンペーン応募を断る旨の電子メールを返信する〈ステップＳ４〉。この返信電子メールは、例えば図４に電子メール画面Ｃ１として示すようなものからなる。尚、受信した電子メールから年令情報を抽出することができないような場合には、入力エラーを指摘し、再度の電子メールの送信を促す電子メールを返信する。この返信電子メールは、例えば図４に電子メール画面Ｃ２として示すようなものからなる。
【００３７】
これに対して電子メールから抽出した年令情報が上述した年令条件を満たす場合には〈ステップＳ３〉、先ず受信した電子メールから求められる送信元アドレスと上記年令情報とをデータベース５に通知する〈ステップＳ５〉。そしてＷｅｂサーバ３のＵＲＬアドレスを、上記年令情報（生年月日）および／または送信元アドレスを用いて暗号化し〈ステップＳ６〉、暗号化した情報をＷｅｂサイト３のＵＲＬアドレスにリンクさせた電子メールを作成し、携帯電話１に返信する〈ステップＳ７〉。このＵＲＬアドレスの暗号化については、前述したように種々の手法を適宜用いて行うようにすれば良い。また上記返信電子メールは、例えば図４に電子メール画面Ｃ３として示すようなものからなり、Ｗｅｂサーバ３のＵＲＬアドレスを暗号化した情報は、例えばＷｅｂサーバ３が属するドメイン名の後に付加された、一見ランダムな文字・数字の列として表される。
【００３８】
このようなＷｅｂサーバ３のＵＲＬアドレスを暗号化により、該Ｗｅｂサーバ３のＵＲＬアドレスが携帯電話１の利用者に、ひいては不特定多数の人々に公開されることがなくなる。しかし送信元アドレスおよび／または年令情報（生年月日）を用いて暗号化された情報は、上述したように該携帯電話１に返信された電子メール上においてＷｅｂサーバ３のＵＲＬアドレスにリンクされている。従って上記電子メール上で上記情報をクリックするだけで携帯電話１のＷｅｂトゥ機能によりＷｅｂサーバ３が自動的にアクセスされることになり、携帯電話１の利用者に負担を掛けることがない。
【００３９】
以上の処理を終了したならば、メールサーバ２は、その後、Ｗｅｂサーバ３や電話サーバ４において所定のキャンペーン応募に対する受け付け処理が完了し、Ｗｅｂサーバ３から処理終了の通知があるまで、次の処理を中断する〈ステップＳ８〉。そしてＷｅｂサーバ３から処理終了の通知があったとき、例えば図４にメール画面Ｃ４として示すようなキャンペーン応募手続が完了した旨の電子メールを作成し、これを携帯電話１に通知して〈ステップＳ９〉、その処理を終了する。
【００４０】
一方、携帯電話１からのアクセスを受けたＷｅｂサーバ３は、先ず図５に示す手順に従ってキャンペーン応募の受付の為の準備処理を実行する。具体的には携帯電話１からのアクセスを受け付けると〈ステップＳ１１〉、先ずセッションＩＤに従って生年月日を確認した後、該Ｗｅｂサーバ３をアクセスした携帯電話１から通知される該携帯電話１の送信元アドレスを取得する〈ステップＳ１２〉。そしてこの送信元アドレスと、前記メールサーバ２から通知される前述した暗号化したＵＲＬアドレスを付与した前記携帯電話１の送信元アドレスとを照合し〈ステップＳ１３〉、そのアクセスが正当なものであるか否かを判定する〈ステップＳ１４〉。ちなみに送信元アドレスが一致しない場合には、そのアクセスが不正なものであると認定し、当該アクセスを拒否する〈ステップＳ１５〉。
【００４１】
これに対して送信元アドレスが一致し、そのアクセスが正当なものであることが確認された場合には、キャンペーン応募に際する注意事項や確認事項等を明示するためのコンテンツを上記携帯電話１に配信する〈ステップＳ１６〉。このコンテンツの配信は、例えば図６に示すようにキャンペーン応募の受け付けのトップ画面［コンテンツＣ１１］を提供した後、キャンペーン応募に関する利用規約や注意事項等を明記した画面［コンテンツＣ１２，〜Ｃ１４］を順次提供する。更にはキャンペーン応募に関する手順を説明する画面［コンテンツＣ１５，〜Ｃ１８］を順次提供する。この際、例えば応募手順を説明する画面［コンテンツＣ１６］において携帯電話１の利用者に該携帯電話１の電話番号の入力を促し、キャンペーン応募者が使用している携帯電話１の電話番号を取得する〈ステップＳ１７〉。尚、電話番号の入力にミスがある場合には、例えば画面［コンテンツＣ１８］に示すような入力エラー表示を行い、電話番号の再入力を促す。
【００４２】
以上のようにして電話番号を取得したならば、上記電話番号をデータベース５に通知すると共に〈ステップＳ１８〉、画面［コンテンツＣ１７］において携帯電話１と電話サイト４とを回線接続するためのフォントゥのアイコンを表示する〈ステップＳ１９〉。このフォントゥのアイコンの表示は、例えば『電話をかける』なる文字表記を電話サーバ４の電話番号にリンクさせ、当該表記をクリックすることで自動的に電話発信する旨を示しておけば良い。このフォントゥ発信については、例えば発信者番号通知の下でフリーダイヤルにより行われるようにしておくことが望ましい。この場合、携帯電話１においては上記アイコンをクリックすることにより〈ステップＳ２０〉、Ｗｅｂサーバ３からダウンロードしたコンテンツを維持したまま自動的に電話サーバ４にフォントゥ発信することになる〈ステップＳ２１〉。
【００４３】
さて上述したフォントゥ発信を受けて回線接続される電話サーバ４は、図７に示す手順に従って携帯電話１の利用者の音声を音声署名情報として取得する。具体的には、先ず受信した電話の発信者番号通知の情報から携帯電話１の電話番号を取得する〈ステップＳ３１〉。そしてデータベース５に登録されている携帯電話１の電話番号と照合し〈ステップＳ３２〉、その電話が音声署名情報の取得の為にＷｅｂサーバ３から廻されてきたものであるか否かを判定する〈ステップＳ３３〉。ちなみに電話番号が一致しない場合には、図８において音声メッセージＭ１として示すような間違い電話である旨を音声メッセージとして出力し、その電話を切断する〈ステップＳ３４〉。
【００４４】
これに対して電話番号が一致している場合には、音声入力の手順を音声メッセージとして出力しながら〈ステップＳ３５〉、その指示に従って音声入力される携帯電話１の利用者の音声を音声署名情報として記録する〈ステップＳ３６〉。この処理は、音声署名情報が正確に得られるまで所定回数に亘って繰り返し行われる〈ステップＳ３７〉。
【００４５】
具体的には図８に示すように電話サーバ４で実行する手続の全体的な流れを説明する音声メッセージＭ２を出力した後、音声入力の仕方を説明する音声メッセージＭ３を出力する。そしてこの音声メッセージＭ３の指示に従って入力される携帯電話１の利用者の、例えば氏名を発声した音声を音声署名情報として取得する。この場合、音声メッセージＭ３の出力から所定の時間を経過しても氏名を表す音声の入力が確認できない場合には、音声の再入力を促す音声メッセージＭ４，Ｍ５を出力するようにすれば良い。そして音声の入力と、その入力音声の音声署名情報として記録が完了した場合には、音声メッセージＭ６，Ｍ７を出力してその入力確認を行う。
【００４６】
以上のようにして携帯電話１の利用者の音声署名情報を取得したならば、その音声署名情報をデータベース５に通知し〈ステップＳ３８〉、携帯電話１の利用者に対して音声によりパスワードを発行する〈ステップＳ３９〉。この際、図８に音声メッセージＭ８として例示するように、その後に行うべき処理についての説明を音声メッセージとして与えることが好ましい。ちなみに上記パスワードについては、簡単に間違いなく覚えられるような単語や数桁の数字等であれば十分である。そして携帯電話１に発行したパスワードをＷｅｂサーバ３に通知して〈ステップＳ４０〉、電話サーバ４での処理を終了する。
【００４７】
さて、上述した如く電話サーバ４において携帯電話１の利用者の音声からなる音声署名情報を取得した後、電話回線の切断によって再び携帯電話１との間でコンテンツを介する双方向情報通信が可能となったＷｅｂサイト３において、図９に示す手順に従ってキャンペーン応募情報の入力処理を実行する。同時にこの入力処理を介して携帯電話１の利用者の個人情報の取得を実行する。
【００４８】
具体的には先ずパスワードの入力画面［既に携帯電話１にダウンロードしている図６に示したコンテンツＣ１７］を用いて前記電話サーバ４において発行したパスワードの入力を促す〈ステップＳ５１〉。そしてこの画面を介して入力されたパスワードを取得し〈ステップＳ５２〉、電話サーバ４から通知されたパスワードと照合することで音声署名情報の登録が済んでいるか否かを確認する〈ステップＳ５３〉。パスワードが一致しない場合には、パスワードの再入力を促す図１０に画面［コンテンツＣ２０］として示すような指示を与え、パスワードの再入力を待つ〈ステップＳ５４〉。
【００４９】
そしてパスワードの一致が確認された場合には、この時点で初めてキャンペーン応募情報の入力処理を実行する画面を順次表示し〈ステップＳ５５〉、その情報入力画面を介して携帯電話１の利用者の個人情報等を取得する〈ステップＳ５６〉。具体的には図１０に示すように、先ず情報入力の為のトップ画面［コンテンツＣ２１］を表示し、次いでアンケート調査の入力画面［コンテンツＣ２２］や、個人情報の入力画面［コンテンツＣ２３，〜Ｃ２６］等を順に表示する。そしてこれらの情報入力画面［コンテンツＣ２３，〜Ｃ２６］を介して携帯電話１の利用者の住所・氏名・郵便番号等の個人情報を順に取得する。尚、情報入力に誤りがある場合には、適宜、入力ミスを指摘する画面［コンテンツＣ２７，〜Ｃ２９］を表示し、その情報の再入力を促す。
【００５０】
このようにして順次取得される個人情報を、順次その情報項目別にデータベース５に通知し〈ステップＳ５７〉、全ての項目に亘る情報入力が完了したか否かを判定する〈ステップＳ５８〉。そして情報入力が完了しているとき、例えば図１０に画面［コンテンツＣ３０］として示すような入力情報確認画面を表示し〈ステップＳ５９〉、携帯電話１の利用者にその確認を促す〈ステップＳ６０〉。そして確認の指示が与えられたとき、メールサーバ２に対してキャンペーン応募処理の終了を通知する〈ステップＳ６１〉。この終了確認を受けて前記メールサーバ２は、前述したステップＳ９に従って、例えば図４に示すような応募確認メール［メール画面Ｃ４］を携帯電話１に送信し、その処理の全てを完了する。
【００５１】
そして前記データベース５においては、上述した処理手順に従って各サーバ２，３，４においてそれぞれ取得される情報を、特にＷｅｂサーバ３において取得した携帯電話１の利用者に関する個人情報と、電話サーバ４において取得した上記携帯電話１の利用者が発声した音声署名情報とを関連付けて該データベース５に登録することになる。
【００５２】
従って上述したキャンペーン応募システムに組み込まれたアクセス管理システムによれば、メールサーバ２においてＷｅｂサーバ３のアクセス条件に適合しないものを排除し、アクセス条件に適合する携帯電話１に対してだけＷｅｂサーバ３のアクセスを許可するので、Ｗｅｂサーバ３への不本意なアクセスを未然に防ぐことができる。しかもＷｅｂサーバ３のＵＲＬアドレスを、年令情報および／または送信元メールアドレスに従って暗号化し、この暗号化した情報をＷｅｂサーバ３のＵＲＬアドレスにリンクさせて提示するので、Ｗｅｂサーバ３のＵＲＬアドレス自体が外部に漏れることがない。これ故、Ｗｅｂサーバ３への直接的なアクセスを防止し、Ｗｅｂサーバ３に対するアクセスをメールサーバ２にて簡易に、しかも確実に管理することができる等の実用上多大なる効果が奏せられる。
【００５３】
尚、本発明は上述した実施形態に限定されるものではない。例えば携帯電話１に提供するコンテンツ画面の内容と、複数のコンテンツ画面の提示順序等は、そのシステム仕様に応じて種々変更可能なものである。また前述したようにＷｅｂサーバ３にアクセス可能な携帯無線端末は、例示した携帯電話１だけに限られるものではなく、基本的にＷｅｂブラウザ機能と電話機能とを備えたものであれば良く、前述したＰＤＡやテレビ電話のようなものであっても良い。
【００５４】
またここではキャンペーン応募サイト（Ｗｅｂサーバ）へのアクセスを例に説明したが、他のＷｅｂサーバへのアクセスについても同様に管理することができる。特に年令条件に制約がない場合であっても、電子メールの送信元メールアドレスに基づいてＷｅｂサーバ３のＵＲＬアドレスを暗号化すれば、そのＵＲＬアドレスの公開を防ぐことができるので、Ｗｅｂサーバ３のＵＲＬアドレスを秘匿しておきたい場合に好適である。またその他の条件の下でＷｅｂサーバ３へのアクセスを制御しても良いことは言うまでもない。この場合には、そのアクセス条件を判定する情報を電子メールの題名や本文に記載した電子メールを受け付けるようにすれば良い。その他、本発明はその要旨を逸脱しない範囲で種々変形して実施することができる。
【００５５】
【発明の効果】
以上説明したように本発明によれば、情報端末から電子メールが届けられるメールサーバにて上記情報端末からＷｅｂサーバへのアクセスを管理し、所定のアクセス条件が満たされる場合にだけＷｅｂサーバのＵＲＬアドレスを暗号化し、その暗号化した情報をＷｅｂサーバのＵＲＬアドレスにリンクさせて情報端末に電子メールとして返信するので、情報端末においては余分な負担を招くことなく簡易にＷｅｂサーバをアクセスすることができる。またＷｅｂサーバのＵＲＬアドレスを暗号化して提示するだけなので、ＷｅｂサーバのＵＲＬアドレス自体が公開されることを確実に防ぐことができ、不本意なアクセスを未然に防ぐことができる等の実用上多大なる効果が奏せられる。
【図面の簡単な説明】
【図１】本発明に係るアクセス管理システムの概略的な構成を示す図。
【図２】アクセス管理システムを組み込んで実現されるキャンペーン応募システムの全体的な概略構成を示す機能ブロック図。
【図３】図２に示すキャンペーン応募システムにおけるメールサーバでの処理手順の一例を示す図。
【図４】メールサーバと携帯電話との間で送受される電子メール画面の例とその流れを示す図。
【図５】図２に示すキャンペーン応募システムにおけるＷｅｂサーバでの準備処理手順の一例を示す図。
【図６】図５に示す準備処理の実行過程においてＷｅｂサーバが配信するコンテンツ画面の例と、コンテンツ画面の遷移形態を示す図。
【図７】図２に示すキャンペーン応募システムにおける電話サーバでの音声署名情報の取得処理手順の一例を示す図。
【図８】図７に示す音声署名情報の取得処理の実行過程において電話サーバが出力する音声メッセージの例と、音声メッセージの出力遷移状態を示す図。
【図９】図２に示すキャンペーン応募システムにおけるＷｅｂサーバでの情報入力処理手順の一例を示す図。
【図１０】図９に示す情報入力処理の実行過程においてＷｅｂサーバが配信するコンテンツ画面の例と、コンテンツ画面の遷移形態を示す図。
【符号の説明】
１  携帯電話（情報端末）
２  メールサーバ
２ａ  年令情報抽出手段（個人情報抽出手段）
２ｂ  年令判定手段（判定手段）
２ｃ  ＵＲＬアドレスの暗号化・メール返信手段
３  Ｗｅｂサーバ
３ａ  アクセス受入制御手段
４  電話サーバ
５  データベース
【図１】
2004185086.tif 000003
【図２】
2004185086.tif 000004
【図３】
2004185086.tif 000005
【図４】
2004185086.tif 000006
【図５】
2004185086.tif 000007
【図６】
2004185086.tif 000008
【図７】
2004185086.tif 000009
【図８】
2004185086.tif 000010
【図９】
2004185086.tif 000011
【図１０】
2004185086.tif 000012